(57)【要約】【課題】構造の簡素化及び施工性の向上を図ることができながら、上方側ダンパー基礎部を構築すること。【解決手段】下部構造体２と上部構造体３との間に配設された免震装置５と、下部構造体２と上部構造体３との水平方向の相対変位を減衰するダンパー７とが備えられ、ダンパー７は、下部構造体２側の下方側ダンパー基礎部８と上部構造体３側の上方側ダンパー基礎部９とに亘って配設されているダンパーの取付構造において、上部構造体２の柱のうち、免震装置５が配置されていない箇所に配設された上方柱３２は、下方側に延長された下方延長柱部位３３が備えられ、上方側ダンパー基礎部９は、下方延長柱部位３３にて構成されている。【選択図】図２
2020200871.tif 000002
【特許請求の範囲】
【請求項１】
下部構造体と上部構造体との間に配設された免震装置と、
前記下部構造体と前記上部構造体との水平方向の相対変位を減衰するダンパーとが備えられ、
前記ダンパーは、下部構造体側の下方側ダンパー基礎部と上部構造体側の上方側ダンパー基礎部とに亘って配設されているダンパーの取付構造であって、
前記上部構造体の柱のうち、前記免震装置が配置されていない箇所に配設された上方柱は、下方側に延長された下方延長柱部位が備えられ、
前記上方側ダンパー基礎部は、前記下方延長柱部位にて構成されているダンパーの取付構造。
【請求項２】
前記下方延長柱部位は、前記上方柱と一体化されたプレキャストコンクリートにて構成されている請求項１に記載のダンパーの取付構造。
【請求項３】
前記下方延長柱部位は、前記上方柱を同一断面積で下方側に延長されて構成されている請求項２に記載のダンパーの取付構造。
【請求項４】
前記下方延長柱部位には、前記上方柱における柱主筋の一部が下方側に延長される状態で配設されている請求項１〜３の何れか１項に記載のダンパーの取付構造。
【発明の詳細な説明】
【技術分野】
【０００１】
本発明は、下部構造体と上部構造体との水平方向の相対変位を減衰するダンパーの取付構造に関する。
【背景技術】
【０００２】
免震化を図る建物等では、下部構造体と上部構造体との間に配設された免震装置と、下部構造体と上部構造体との水平方向の相対変位を減衰するダンパーとが備えられている。ダンパーの取付構造として、ダンパーが、下部構造体側の下方側ダンパー基礎部と上部構造体側の上方側ダンパー基礎部とに亘って配設されている（例えば、特許文献１参照。）。
【０００３】
特許文献１に記載のダンパーの取付構造では、上方側ダンパー基礎部が、上部構造体の柱のうち、免震装置が配置されている箇所に配設された免震装置用の上方柱や、上方側構造体の上方梁を利用して構成されている。
【０００４】
免震装置用の上方柱には、免震装置を取り付けるために、上方柱を補強した上部柱補強部が構築されている。上部柱補強部は、免震装置用の上方柱の周囲に鉄筋を組んでコンクリートを打設することで、上方柱の断面積を拡張した補強部として構築されている。また、上方梁の周囲に鉄筋を組んでコンクリートを打設することで、上方梁の梁幅及び梁せいを拡大した上部梁補強部が構築されている。
【０００５】
これにより、ダンパーの上部構造体側の端部を、上部柱補強部及び上部梁補強部に取り付けることで、上部柱補強部及び上部梁補強部を上方側ダンパー基礎部として利用している。
【先行技術文献】
【特許文献】
【０００６】
【特許文献１】特許第４９８０７８２号公報
【発明の概要】
【発明が解決しようとする課題】
【０００７】
特許文献１に記載のダンパーの取付構造では、上方側ダンパー基礎部が、上方柱を補強した上部柱補強部や上方梁を補強した上部梁補強部を利用して構成されている。しかしながら、上方側ダンパー基礎部を構成するために、上部柱補強部及び上部梁補強部を構築しなければならず、構造の複雑化を招くとともに、上方柱や上方梁の周囲に鉄筋を組んでコンクリートを打設する現場作業を行う必要があり、施工性の低下を招いている。
【０００８】
この実情に鑑み、本発明の主たる課題は、構造の簡素化及び施工性の向上を図ることができながら、上方側ダンパー基礎部を構築することができるダンパーの取付構造を提供する点にある。
【課題を解決するための手段】
【０００９】
本発明の第１特徴構成は、下部構造体と上部構造体との間に配設された免震装置と、
前記下部構造体と前記上部構造体との水平方向の相対変位を減衰するダンパーとが備えられ、
前記ダンパーは、下部構造体側の下方側ダンパー基礎部と上部構造体側の上方側ダンパー基礎部とに亘って配設されているダンパーの取付構造において、
前記上部構造体の柱のうち、前記免震装置が配置されていない箇所に配設された上方柱は、下方側に延長された下方延長柱部位が備えられ、
前記上方側ダンパー基礎部は、前記下方延長柱部位にて構成されている点にある。
【００１０】
本構成によれば、上方側ダンパー基礎部は、免震装置が配置されていない箇所に配設された上方柱を下方側に延長させた下方延長柱部位にて構成されているので、免震装置が配置されていない箇所に配設された上方柱を有効に利用しながら、ダンパーを取り付けることができる。しかも、その上方柱を下方側に延長させて下方延長柱部位を構築するだけで、上方側構造体に一体化された上方側ダンパー基礎部を構築することができる。よって、例えば、上部構造体の梁等に接続する状態で上方側ダンパー基礎部を別途構築することもなく、構造の簡素化及び施工性の向上を図りながら、ダンパーを取り付けることができる。
【００１１】
本発明の第２特徴構成は、前記下方延長柱部位は、前記上方柱と一体化されたプレキャストコンクリートにて構成されている点にある。
【００１２】
本構成によれば、下方延長柱部位は、上方柱と一体化されたプレキャストコンクリートにて構成されているので、そのプレキャストコンクリートを設置するだけで、上方側構造体に一体化された上方側ダンパー基礎部を構築することができ、施工性の向上を効果的に図ることができる。
【００１３】
本発明の第３特徴構成は、前記下方延長柱部位は、前記上方柱を同一断面積で下方側に延長させて構成されている点にある。
【００１４】
本構成によれば、上方柱を同一断面積で下方側に延長するだけで、下方延長柱部位を構築することができるので、下方延長柱部位を構築するに当たり、構造の簡素化及び施工性の向上を図ることができる。しかも、上方側ダンパー基礎部を、上方柱と同一断面積とすることができるので、上方側ダンパー基礎部としても十分な断面積を確保することができ、ダンパーの取付強度の向上を図ることができる。
【００１５】
本発明の第４特徴構成は、前記下方延長柱部位には、前記上方柱における柱主筋の一部が下方側に延長される状態で配設されている点にある。
【００１６】
本構成によれば、下方延長柱部位である上方側ダンパー基礎部は、上方柱ほど強度が求められていないので、上方柱における柱主筋の一部を延長させることで、十分な強度を確保することができる。しかも、上方側ダンパー基礎部には、柱主筋の一部だけが延長されているので、上方側ダンパー基礎部での鉄筋の数を少なくすることができ、例えば、ダンパーを取り付けるためのアンカー等を配置し易くなり、上方側ダンパー基礎部での鉄筋やアンカー等の納まりを良くすることができる。
【図面の簡単な説明】
【００１７】
【図１】免震層の免震構造の概略構成を示す伏図
【図２】ダンパーの取付構造を示す側面図
【図３】上方柱と下方延長柱部位とを一体化したプレキャストコンクリートを示す側面図
【図４】上方柱及び下方延長柱部位における鉄筋の配設状態を示す図
【発明を実施するための形態】
【００１８】
本発明に係るダンパーの取付構造を適用した建物の免震構造の実施形態について、図面に基づいて説明する。
この免震構造では、図２に示すように、建物１において、杭２１に支持された基礎２３を下部構造体２としており、その下部構造体２（基礎２３）と上部構造体３との間に免震層４が構築され、図１に示すように、免震層４には、複数の積層ゴム支承部５と、複数の滑り支承部６と、複数のダンパー７とが備えられている。積層ゴム支承部５と滑り支承部６とは、平面視において、所定の間隔（例えば、柱スパン）を隔てた格子状に配列されている。ちなみに、図１では、積層ゴム支承部５を「○」にて模式的に図示し、滑り支承部６を「□」にて模式的に図示している。
【００１９】
積層ゴム支承部５は、図２に示すように、例えば、下部構造体２（基礎２３）と上部構造体３の第１上方柱３１との間等に配置され、下部構造体２上に上部構造体３を支持する状態で、積層ゴムの変形により地震エネルギーの伝達を抑制するように構成されている。図示は省略するが、滑り支承部６も、下部構造体２と上部構造体３との間に配置され、下部構造体２上に上部構造体３を支持する状態で、下部構造体２と上部構造体３との間での水平方向での移動を許容して地震エネルギーの伝達を抑制するように構成されている。
【００２０】
ダンパー７は、下部構造体２と上部構造体３との水平方向の相対変位を減衰するように構成されている。ダンパー７として、図１に示すように、例えば、第１ダンパー７１と第２ダンパー７２と第３ダンパー７３とが備えられている。第１ダンパー７１と第２ダンパー７２とが、一直線線状に並ぶ姿勢で配置され、第３ダンパー７３が、第１ダンパー７１及び第２ダンパー７２に対して直交する姿勢で配置されている。
【００２１】
ダンパー７の取付構造としては、第１ダンパー７１、第２ダンパー７２及び第３ダンパー７３のいずれも同様の取付構造を採用しているので、図２を用いて、第３ダンパー７３の取付構造について説明する。
【００２２】
第３ダンパー７３は、図２に示すように、下部構造体２側の下方側ダンパー基礎部８と上部構造体３側の上方側ダンパー基礎部９とに亘って配設され、水平方向に沿う姿勢にて備えられている。下方側ダンパー基礎部８は、下部構造体２（基礎２３）の基礎梁２２等から上方側に突出する状態で備えられている。下方側ダンパー基礎部８は、例えば、プレキャストコンクリートや現場打ちコンクリート等により構築されており、図示は省略するが、鉄筋等を基礎梁２２及び下方側ダンパー基礎部８に亘って埋設状態で備えることで、下方側ダンパー基礎部８が基礎梁２２に接合されている。下方側ダンパー基礎部８に埋設された下方側アンカー１０（図２中、点線にて示す）にダンパー取付用の取付プレートを挿通させてボルトナット等の締結具により締結することで、第３ダンパー７３の一端部（図２中、左側端部）が取付プレートを介して下方側ダンパー基礎部８に取り付けられている。
【００２３】
上方側ダンパー基礎部９は、図２に示すように、上部構造体３の第２上方柱３２（上方柱に相当する）を利用して構築されている。上方側ダンパー基礎部９に利用する第２上方柱３２は、上部構造体３の柱３１、３２のうち、積層ゴム支承部５（免震装置に相当する）が配置されていない箇所に配設された柱３２（例えば、間柱）となっている。第２上方柱３２は、積層ゴム支承部５が配置されている箇所に配設された第１上方柱３１よりも断面積が小さく構成されている。第２上方柱３２は、下方側に延長された下方延長柱部位３３が備えられ、上方側ダンパー基礎部９が、下方延長柱部位３３にて構成されている。
【００２４】
下方延長柱部位３３は、第１上方柱３１及び第２上方柱３２の下端部同士を連結する上方梁３４よりも下方側に延長されており、上方梁３４よりも下方側に突出する状態で備えられている。下方延長柱部位３３は、第２上方柱３２と一体化されたプレキャストコンクリート４０にて構成され、下方延長柱部位３３が、第２上方柱３２を同一断面積で下方側に延長させて構成されている。これにより、例えば、プレキャストコンクリート４０を高強度のコンクリートにて構築することで、第２上方柱３２の強度を十分に確保しつつ、上方側ダンパー基礎部９を高強度な基礎部として構築することができる。
【００２５】
下方延長柱部位３３と第２上方柱３２とを一体化させたプレキャストコンクリート４０は、その断面形状が矩形状（図４参照）に形成されている。図３では、第２上方柱３２において、下方側部位３２ａとそれから延長される下方延長柱部位３３とを一体化させたプレキャストコンクリート４０を図示している。図３（ａ）は、図２の側面図と同じ方向から見た側面図であり、図３（ｂ）は、図３（ａ）に対して直交する方向から見た側面図である。
【００２６】
下方延長柱部位３３は、第２上方柱３２を同一断面積で下方側に延長させて構成され、上方側アンカー１１が埋設されている。上方側アンカー１１は、ダンパー７を取り付けるためのものであり、図３及び図４に示すように、下方延長柱部位３３における１つの側面に対して、上下左右に間隔を隔てて合計４本の上方側アンカー１１が備えられている。図２に示すように、上方側ダンパー基礎部９（下方延長柱部位３３）に埋設された上方側アンカー１１（図２中、点線にて示す）にダンパー取付用の取付プレートを挿通させてボルトナット等の締結具により締結することで、第３ダンパー７３の他端部（図２中、右側端部）が取付プレートを介して上方側ダンパー基礎部９に取り付けられている。
【００２７】
図１に示すように、ダンパー７は、第１ダンパー７１と第２ダンパー７２と第３ダンパー７３とが備えられており、１つの上方側ダンパー基礎部９に対して、第１〜第３ダンパー７１〜７３の３つのダンパー７が取り付けられている。上方側ダンパー基礎部９に対して、第１〜第３ダンパー７１〜７３の３つのダンパー７が異なる３つの方向に延びる姿勢で取り付けられている。よって、上方側ダンパー基礎部９には、図３及び図４に示すように、第１ダンパー７１を取り付けるための第１上方側アンカー１１ａと、第２ダンパー７２を取り付けるための第２上方側アンカー１１ｂと、第３ダンパー７３を取り付けるための第３上方側アンカー１１ｃとが埋設状態で備えられている。
【００２８】
図３に示すように、第１上方側アンカー１１ａと第２上方側アンカー１１ｂは、上下方向で同じ位置に配設され、第３上方側アンカー１１ｃは、第１上方側アンカー１１ａ及び第２上方側アンカー１１ｂに対して上下方向で異なる位置に配設されている。これにより、第１上方側アンカー１１ａ及び第２上方側アンカー１１ｂと第３上方側アンカー１１ｃとが、お互いに干渉することなく、収まりよく配置されている。第１上方側アンカー１１ａと第２上方側アンカー１１ｂは、一直線状に延びる状態で備えられているので、例えば、１本のアンカーにて第１上方側アンカー１１ａと第２上方側アンカー１１ｂとを兼用することができる。
【００２９】
上述のプレキャストコンクリート４０を施工する場合には、図３に示すように、下方延長柱部位３３と第２上方柱３２の下方側部位３２ａとを一体化させたプレキャストコンクリート４０と上方梁３４（図２参照）とが、プレキャストコンクリート４０から左右方向に突出して延びる鉄筋１５を上方梁３４に埋設させて接合されている。図３に示すものでは、プレキャストコンクリート４０において、上方梁３４を接合する部位も、第２上方柱３２及び下方延長柱部位３３と同一断面積としているが、例えば、プレキャストコンクリート４０において、上方梁３４を接合する部位を第２上方柱３２及び下方延長柱部位３３よりも拡幅することもできる。また、プレキャストコンクリート４０と第２上方柱３２の上方側部位とが、プレキャストコンクリート４０から上方側に突出して延びる柱主筋１２を第２上方柱３２の上方側部位に埋設させて接合されている。よって、第２上方柱３２において、プレキャストコンクリート４０の上端部が第２上方柱３２の下方側部位３２ａと上方側部位との繋ぎ箇所となっている。
【００３０】
図４を用いて、第２上方柱３２及び上方側ダンパー基礎部９（下方延長柱部位３３）における鉄筋の配設状態について説明する。図４（ａ）は、第２上方柱３２における鉄筋の配設状態を示しており、図４（ｂ）は、上方側ダンパー基礎部９（下方延長柱部位３３）における鉄筋の配設状態を示している。
【００３１】
図４（ａ）に示すように、第２上方柱３２には、矩形状の断面の周方向に間隔を隔てて複数の柱主筋１２が配設され、複数の柱主筋１２を囲む状態でフープ筋１３が配設されている。また、柱主筋１２、及び、フープ筋１３に加えて、対向する位置に配設された柱主筋１２同士に引っ掛ける複数の中子筋１４が配設されている。
【００３２】
図４（ｂ）に示すように、上方側ダンパー基礎部９（下方延長柱部位３３）にも、第２上方柱３２と同様に、柱主筋１２、フープ筋１３、中子筋１４が配設されている。しかしながら、上方側ダンパー基礎部９（下方延長柱部位３３）には、第２上方柱３２における柱主筋１２の一部が下方側に延長される状態で配設されている。つまり、上方側ダンパー基礎部９（下方延長柱部位３３）には、第２上方柱３２における柱主筋１２の一部だけが配設されている。図４（ｂ）に示すように、上方側ダンパー基礎部９（下方延長柱部位３３）には、図４（ａ）において、下方中央部に配設される２本の柱主筋１２、左上方側に配設される１本の柱主筋１２、右上方側に配設される１本の柱主筋１２の合計４本の柱主筋１２が除かれており、これら４本の柱主筋１２が配設されておらず、柱主筋１２の本数が減少している。また、対向する位置に配設された柱主筋１２を除くことで、その柱主筋１２に引っ掛ける中子筋１４も除いている。
【００３３】
上方側ダンパー基礎部９（下方延長柱部位３３）では、除かれた柱主筋１２の配設スペースをアンカー配設スペースとして利用しており、下方中央部に配設される２本の柱主筋１２を除くことで、第３上方側アンカー１１ｃを配設している。また、左上方側に配設される１本の柱主筋１２を除くことで、第１上方側アンカー１１ａを配設しており、右上方側に配設される１本の柱主筋１２を除くことで、第２上方側アンカー１１ｂを配設している。また、柱主筋１２だけでなく、中子筋１４も除いているので、その除いたスペースも、アンカー配設スペースとして有効に利用している。
【００３４】
〔別実施形態〕
（１）上記実施形態では、下方延長柱部位３３が、第２上方柱３２を同一断面積で下方側に延長されて構成されているが、下方延長柱部位は、上方柱よりも断面積が小さいものであってもよい。
【００３５】
（２）上記実施形態では、下方延長柱部位３３に、第２上方柱３２における柱主筋１２の一部だけを下方側に延長させる状態で配設しているが、第２上方柱３２における柱主筋１２の全てを下方側に延長させる状態で下方延長柱部位３３に配設させてもよい。
【符号の説明】
【００３６】
２          下部構造体
３          上部構造体
５          積層ゴム支承部（免震装置）
７          ダンパー
８          下方側ダンパー基礎部
９          上方側ダンパー基礎部
１２        柱主筋
３２        第２上方柱（上方柱）
３３        下方延長柱部位
【図１】
2020200871.tif 000003
【図２】
2020200871.tif 000004
【図３】
2020200871.tif 000005
【図４】
2020200871.tif 000006